(57)【要約】【課題】  従来の施工手順によりながら、住宅とりわけ木造住宅の耐震性を向上させるターンバックルを提供する。【解決手段】  本発明のターンバックル１０は、本体１２と減衰部材１４とナット１６とを備えてなるターンバックル１０であって、前記本体１２は両端部にロッド状ブレース１が挿通される透孔１２ａを有し、前記本体１２の空間部１２ｂの幅ｗは、ナット１６が本体１２のサイドから挿入はされるが、回転しないようにされ、前記減衰部材１４は、前記ロッド状ブレース１が挿通される透孔１４ａが先端から後端に向けて貫通形成され、前記減衰部材１４の形状は、前記本体１２内面に沿うようにされてなるものである。【選択図】  図２
2005264472.tif 000002
【特許請求の範囲】
【請求項１】
ロッド状ブレースからの振動を減衰させる減衰部材を備えてなることを特徴とするターンバックル。
【請求項２】
本体と減衰部材とナットとを備えてなるターンバックルであって、
前記本体は両端部にロッド状ブレースが挿通される透孔を有し、
前記本体の空間部の幅は、ナットが本体のサイドから挿入はされるが、回転しないようにされ、
前記減衰部材は、前記ロッド状ブレースが挿通される透孔が先端から後端に向けて貫通形成され、
前記減衰部材の形状は、前記本体内面に沿うようにされてなる
ことを特徴とする請求項１記載のターンバックル。
【請求項３】
本体と減衰部材とナットとを備えてなるターンバックルであって、
前記本体は両端部にロッド状ブレースが挿通される透孔を有し、
前記減衰部材は角筒体とされて前記ナットの外周に密着させて配設され、
前記減衰部材の辺の長さは、該減衰部材が本体のサイドから挿入はされるが、回転しないようにされてなる
ことを特徴とする請求項１記載のターンバックル。
【請求項４】
請求項１ないし請求項３のいずれか一項に記載のターンバックルにより耐震補強がされてなることを特徴とする住宅。
【発明の詳細な説明】
【技術分野】
【０００１】
本発明はターンバックルに関する。さらに詳しくは、減衰機能を有するターンバックルに関する。
【背景技術】
【０００２】
阪神淡路大震災において木造住宅が多く倒壊した教訓を受けて、木造住宅の耐震性の向上を図ることがなされている。
【０００３】
この耐震性の向上を図る一手段として、仕口に衝撃吸収力を持たせるようにすることがなされている。例えば、図５に示すように、仕口５０に仕口ダンパー６０を設けることがなされている。図中、符号７０は基礎を示し、符号８０は土台を示す。
【０００４】
図６に、仕口ダンパー６０の一例を示す。仕口ダンパー６０は、図６に示すように、柱５１に取り付けられる柱側鋼板６１と、梁５２に取り付けられる梁側鋼板６２と、その間に密着される粘弾性体６３とからなるものとされる。
【０００５】
この仕口ダンパー６０を仕口５０に設けることにより、地震などによる住宅の揺れが粘弾性体により吸収され、住宅の倒壊が防止される。
【０００６】
しかしながら、仕口ダンパー６０を設けた場合には、その取付作業が必要となり、しかもそれが従来の作業にない余分な作業であるため、施工が煩雑となり、かつ、施工の長期化を招来するという問題がある。この施工の長期化という問題は、迅速な施工が要求される既設住宅の耐震補強を図る際に大きな問題となる。
【発明の開示】
【発明が解決しようとする課題】
【０００７】
本発明はかかる従来技術の課題に鑑みさなれたものであって、従来の施工手順によりながら、住宅とりわけ木造住宅の耐震性を向上させるターンバックルを提供することを目的としている。
【課題を解決するための手段】
【０００８】
本発明のターンバックルは、ロッド状ブレースからの振動を減衰させる減衰部材を備えてなることを特徴とする。
【０００９】
本発明のターンバックルの第１形態は、本体と減衰部材とナットとを備えてなるターンバックルであって、前記本体は両端部にロッド状ブレースが挿通される透孔を有し、前記本体の空間部の幅は、ナットが本体のサイドから挿入はされるが、回転しないようにされ、前記減衰部材は、前記ロッド状ブレースが挿通される透孔が先端から後端に向けて貫通形成され、前記減衰部材の形状は、前記本体内面に沿うようにされてなることを特徴とする。
【００１０】
本発明のターンバックルの第２形態は、本体と減衰部材とナットとを備えてなるターンバックルであって、前記本体は両端部にロッド状ブレースが挿通される透孔を有し、前記減衰部材は角筒体とされて前記ナットの外周に密着させて配設され、前記減衰部材の辺の長さは、該減衰部材が本体のサイドから挿入はされるが、回転しないようにされてなることを特徴とする。
【００１１】
しかして、本発明のターンバックルは、住宅の耐震補強に用いられる。
【発明の効果】
【００１２】
本発明によれば、従来のターンバックル補強と同様の施工手順により住宅の耐震性を向上できるという優れた効果を奏する。
【発明を実施するための最良の形態】
【００１３】
以下、添付図面を参照しながら本発明を実施形態に基づいて説明するが、本発明はかかる実施形態のみに限定されるものではない。
【００１４】
実施形態１
図１に、本発明の実施形態１に係るターンバックルが適用された木造住宅の軸組を概略図で示す。この木造住宅は、図１に示すように、ロッド状ブレース１をターンバックル１０により張設して横揺れ防止を図ってなるものである。
【００１５】
図２および図３に、ターンバックル１０の詳細を示す。なお、図１中、符号２は柱を示し、符号３は梁を示し、符号４は基礎を示し、符号５は土台を示す。
【００１６】
ターンバックル１０は、図２および図３に示すように、本体１２と、減衰部材１４と、ナット１６とを主要構成要素として備えてなる。
【００１７】
本体１２は、基本的には通常のターンバックルに用いられているものと同様とされているが、ロッド状ブレース１が挿通される透孔１２ａは、ブレース１端部に形成されている雄ねじ１ａと螺合する雌ねじが形成されておらず、単なる透孔されている点が異なる。また、本体１２の空間部１２ｂの幅ｗは、ナット１６をサイドから挿入はできるが、ナット１６が回転しないように調整されている。
【００１８】
減衰部材１４は例えば低反発性のスポンジや防振ゴムなどからなる先端部が円錐台状とされた円筒体とされ、ロッド状ブレース１が挿通される透孔１４ａが先端から後端に向けて貫通形成されている。また、減衰部材１４の形状は、本体１２の端部内面に沿うようにされている。
【００１９】
ナット１６はブレース１端部に形成されている雄ねじ１ａと螺合するようにされた、例えば六角ナットとされる。
【００２０】
次に、かかる構成とされたターンバックル１０による住宅の耐震補強の一例について説明する。
【００２１】
手順１：本体１２の一端部に一方のブレース１Ａの雄ねじ１ａが形成された基端部を挿通し、他端部に他方のブレース１Ｂの雄ねじ１ａが形成された基端部を挿通する。
【００２２】
手順２：ブレース１Ａ，１Ｂの基端部に減衰部材１４を挿通した後、ナット１６を仮留めする。
【００２３】
手順３：一方のブレース１Ａの先端を仕口部例えば上方の仕口部に常法により取り付け、他方のブレース１Ｂの先端を対角に位置する仕口部例えば対角下方の仕口部に常法により取り付ける。
【００２４】
手順４：ターンバックル１０、具体的には本体１２を回転させてブレース１Ａ，１Ｂを張設する。
【００２５】
これにより、地震時に住宅が揺れた場合には、その揺れによる振動が減衰部材１２により吸収されるので、住宅の耐震性が向上する。なお、ブレース１の強度は従来と同様にブレース１の軸部の破断力により決定されるので、減衰機能を付与したことによる強度低下は招来しない。
【００２６】
このように、この実施形態１のターンバックル１０によれば、強度低下を生ずることなく、従来のターンバックルによる住宅の揺れに対する補強手順とほぼ同様の手順により住宅の耐震補強がなし得る。そのため、施工の迅速性が要求される既設木造住宅の耐震補強に好適である。
【００２７】
実施形態２
図４に、本発明の実施形態２に係るターンバックル２０を示す。このターンバックル２０は実施形態１のターンバックル１０を改変してなるものであって、ブレース１の基端部に螺合されるナット２４と、その外周に密着させて配設された減衰部材２６とを主要構成要素として備えてなる。
【００２８】
減衰部材２４は例えば粘弾性体かなる角筒体とされ、その辺の長さは減衰部材２４を本体２２にサイドから挿入はできるが回転しないように調整されている
次に、かかる構成とされたターンバックル２０による住宅の耐震補強の一例について説明する。
【００２９】
手順１：本体２２の一端部に一方のブレース１Ａの雄ねじ１ａが形成された基端部を挿通し、他端部に他方のブレース１Ｂの雄ねじが形成された基端部を挿通する。
【００３０】
手順２：ブレース１Ａ，１Ｂの基端部に外周に減衰部材２６が配設されたナット２４を仮留めする。
【００３１】
手順３：一方のブレース１Ａの先端を仕口部例えば上方の仕口部に常法により取り付け、他方のブレース１Ｂの先端を対角に位置する仕口部例えば対角下方の仕口部に常法により取り付ける。
【００３２】
手順４：ターンバックル２０、具体的には本体２２を回転させてブレース１Ａ，１Ｂを張設する。
【００３３】
これにより、地震時に住宅が揺れた場合には、その揺れによる振動でナット２４と減衰部材２６との間にせん断抵抗が発生して振動が吸収されるので、住宅の耐震性が向上する。なお、ブレース１の強度は従来と同様にブレース１の軸部の破断力により決定されるので、減衰機能を付与したことによる強度低下は招来しない。
【００３４】
このように、この実施形態２のターンバックル２０によれば、強度低下を生ずることなく、従来のターンバックルによる住宅の揺れに対する補強手順とほぼ同様の手順により住宅の耐震補強がなし得る。そのため、施工の迅速性が要求される既設木造住宅の耐震補強に好適である。
【産業上の利用可能性】
【００３５】
本発明は耐震補強が必要とされる住宅、とりわけ木造住宅に適用できる。
【図面の簡単な説明】
【００３６】
【図１】本発明の実施形態１に係るターンバックルが適用された木造住宅の軸組図である。
【図２】同実施形態に係るターンバックルの要部断面図である。
【図３】同ターンバックルの要部正面図である。
【図４】本発明の実施形態２に係るターンバックルの要部断面図である。
【図５】仕口ダンパーが適用された木造住宅の軸組図である。
【図６】仕口ダンパーの分解斜視図である。
【符号の説明】
【００３７】
１    ブレース
１ａ  雄ねじ
２    柱
３    梁
４    基礎
５    土台
１０    ターンバックル
１２    本体
１４    減衰部材
１６    ナット
２０    ターンバックル
２２    本体
２４    ナット
２６    減衰部材
【図１】
2005264472.tif 000003
【図２】
2005264472.tif 000004
【図３】
2005264472.tif 000005
【図４】
2005264472.tif 000006
【図５】
2005264472.tif 000007
【図６】
2005264472.tif 000008